(57)【要約】  【課題】  装置の外観を損なうことなく、通信機能の高い通信機能付き装置を提供する。  【解決手段】  外装部材（８）内に配置され、無線通信を行うためのアンテナ（９）と、外装部材の開口（９ａ）から表示面が露出した表示ユニット（６）とを有し、アンテナは該表示ユニットの裏面側の領域に配置されていることを特徴とする通信機能付き装置。  【選択図】  図３
2006121494.tif 000002
【特許請求の範囲】
【請求項１】
外装部材内に配置され、無線通信を行うためのアンテナと、
前記外装部材の開口から表示面が露出した表示ユニットとを有し、
前記アンテナは該表示ユニットの裏面側の領域に配置されていることを特徴とする通信機能付き装置。
【請求項２】
前記アンテナは、放射素子部を有し、
該放射素子部が前記裏面側の領域に配置されていることを特徴とする請求項１に記載の通信機能付き装置。
【請求項３】
前記外装部材が、金属により形成されていることを特徴とする請求項１又は２に記載の通信機能付き装置。
【請求項４】
前記外装部材が、樹脂部材に金属層を形成した部材であることを特徴とする請求項１又は２に記載の通信機能付き装置。
【請求項５】
前記外装部材内に設けられ、前記表示ユニットを保持する保持部材を有し、
該保持部材は、前記アンテナの等電位面を形成するグランドとして使用されていることを特徴とする請求項１から４のいずれか１つに記載の通信機能付き装置。
【請求項６】
被写体像を形成する撮影レンズと、該被写体像を光電変換する撮像素子とを有することを特徴とする請求項１から５のいずれか１つに記載の通信機能付き装置。
【発明の詳細な説明】
【技術分野】
【０００１】
本発明は、無線通信を行うアンテナを有する通信機能付き装置に関する。
【背景技術】
【０００２】
近年、デジタルカメラや携帯電話などに代表される携帯型の電子機器において、衝撃の吸収や、電磁波をシールドするために、金属筐体を用いるケースが増えている。また、電磁波をシールドすることのできない非金属筐体の電子機器においても、不要輻射を抑えるために、非金属筐体に金属メッキ、あるいは金属塗装を行う場合が多い。
【０００３】
一方、携帯電話やＰＨＳなどの遠距離通信可能な無線型通信装置のほかに、無線ＬＡＮやＢｌｕｅｔｏｏｔｈ（登録商標）などの近距離用の無線型通信装置が提案されており、デジタルカメラのような電子機器にも無線の搭載が要求されてきている。
【０００４】
このような場合、金属、金属メッキ、金属塗装が施された筐体に無線機能を搭載する電子機器においては、金属が電波を通さないため、アンテナ配置に対する問題が生じる。この問題を解決する方法として、アンテナを筐体の外部に配置する方法（特許文献１参照）、アンテナの配置位置に対応した金属筐体の部分を非金属材料にする方法（特許文献２参照）が知られている。
【０００５】
筐体の外にアンテナを配置する場合、筐体を構成する金属材料によって影響を受けずに安定した通信を行うことが可能になる。また、アンテナを介して送受信される電磁波の通信路に対応する筐体の部分を、非金属材料によって構成した場合も、安定した無線通信を行うことが可能となる。
【特許文献１】特開２００３−３１９２２５号公報（第６頁、図１）
【特許文献２】特開２００２−３２１５０号公報（第１８頁、図４４）
【発明の開示】
【発明が解決しようとする課題】
【０００６】
携帯電子機器の場合、使用時や携帯時の破損防止、収納性向上、デザイン性の観点から、機器本体から突出した部分をなるべく避ける構造にすることが望まれている。
【０００７】
したがって、アンテナを筐体の外部に配置する方法は、機器本体からの突出部分がいたずらに増え、アンテナの接触、電子機器本体の収納性、携帯性が低下するという問題が生じる。
【０００８】
また、デジタルカメラのような電子機器において、突起したアンテナを目立つ位置に配置するのは、デザイン性において問題があり、しかもデジタルカメラの場合、常時アンテナを用いて外部装置と通信しているわけではないため、突起したアンテナを目立つ位置に配置する必要性が低い。
【０００９】
一方、金属筐体において、アンテナが存在する部分にのみ非金属材料を使用する方法は、アンテナを筐体の外部に配置する方法に比べ、前述のような破損や収納性の問題は少ない。しかし、部品数が増えるため組み立て性の問題、製造コストの問題、２種類の材料を使っていることによるデザイン性の問題、また、非金属の部分が大きくなる場合には、電磁波をシールドできないという問題が生じる可能性がある。よって、金属筐体にアンテナを配置する場合、外部にアンテナが突起せず、外装に特別な処理をすることなく安定した通信を可能にすることが望まれている。
【課題を解決するための手段】
【００１０】
上記課題を解決するために、本願発明の通信機能付き装置は、一つの観点として、外装部材内に配置され、無線通信を行うためのアンテナと、前記外装部材の開口から表示面が露出した表示ユニットとを有し、前記アンテナは該表示ユニットの裏面側の領域に配置されていることを特徴とする。
【発明の効果】
【００１１】
本願発明によれば、装置使用時に、人体との接触が少ない表示ユニットの裏側の領域にアンテナを配置できるため、アンテナの電波を人体が吸収して、無線通信が妨げられるおそれを軽減することができる。
【発明を実施するための最良の形態】
【００１２】
以下、図面を用いて、本発明を実施するための最良の形態を説明する。
【００１３】
(実施例１)
図１は、本実施例におけるデジタルカメラ１（通信機能付き装置）の外観斜視図であり、（Ａ）は前方斜視図、（Ｂ）は背面斜視図である。図２はアンテナの斜視図であり、図３はアンテナが組み込まれたデジタルカメラの背面斜視図である。デジタルカメラ１の上面には、第１ストローク操作で撮影準備動作（焦点調節動作及び測光動作）が開始され、第２ストローク操作で撮影動作（ＣＣＤセンサ、ＣＭＯＳセンサなどの撮像素子２２への露光及び撮像素子２２から出力された画像信号の記録媒体への記録）が開始されるレリーズボタン２が設けられている。
【００１４】
カメラの前面に向かって中央上部には、撮影範囲を確認するための光学ファインダ３が設けられており、光学ファインダ３の右側には、撮影時に被写体へストロボ発光光を照射する発光ユニット４が設けられており、光学ファインダ３及び発光ユニット４の下側には、ズーミング及びフォーカシングが可能なレンズ鏡筒５が設けられている。
【００１５】
このレンズ鏡筒５は、カメラ本体内に設けられた格納領域と、この格納領域の光軸方向前方に配置される撮影領域との間を移動可能な、カメラ固定式のレンズ鏡筒である。
【００１６】
カメラの背面に向かって左側には、撮影画像、メニュー設定情報などを表示するＬＣＤ（Ｌｉｑｕｉｄ  Ｃｒｙｓｔａｌ  Ｄｉｓｐｌａｙ）６が設けられている。ＬＣＤ６は、画面に表示された画像を確認できるようにするために、表示面が露出した状態あるいは透明のプラスチック材料で覆われている。このＬＣＤ６の右側には、各種機能を設定するための機能設定ボタン７が設けられている。デジタルカメラ１の外装部材８は、金属によって構成されており、この外装部材８のカメラ背面側には、矩形状の開口部８ａが形成されており、この開口部８ａからＬＣＤ６の表示面がカメラ外側に露出している。
【００１７】
本実施例のアンテナ９は、図２に示すフィルム状のグランド部９ａと、このグランド部９ａの端部に設けられた放射素子部９ｂとによって構成されおり、この放射素子部９ｂが、外部装置との無線信号の送受信をするためのアンテナ機能を有している。
【００１８】
ここで、放射素子部９ｂの周辺に金属が存在すると、金属によって通信に用いられる電磁波が吸収され、外部装置との通信が妨げられるおそれがある。そこで、本実施例のデジタルカメラでは、図３に示すように、金属を含まないＬＣＤ６の裏側の領域にアンテナ９を配置している。これにより、放射素子部９ｂを介して送受信される無線信号の金属による吸収を回避できるため、通信機能の高いカメラを提供することができる。
【００１９】
ただし、図４に示すＬＣＤ６を保持するためのＬＣＤホルダ６３（保持部材）が金属で構成されている場合には、ＬＣＤホルダ６３によって無線信号の電磁波が吸収され、通信が妨げられるおそれがある。このような場合には、アンテナ９及びＬＣＤホルダ６３を図４のように配置する必要がある。ここで、図４(Ａ)はＬＣＤ６、ＬＣＤホルダ６３及びアンテナ９の分解斜視図であり、図４(Ｂ)はアンテナ９が組みつけられたＬＣＤホルダ６３の斜視図である。なお、このＬＣＤホルダ６３は、アンテナ９の等電位面を形成するグランドとしても使用される。
【００２０】
同図において、６３ａはＬＣＤホルダ６３に形成された、放射素子部９ａよりも大きな寸法を有する開口部であり、この開口部６３ａの内側に放射素子部９ａが配置されている。これにより、放射素子部９ａを介して送受信される無線信号の伝送路からＬＣＤホルダ６３を構成する金属材料を退避させることができるため、ＬＣＤホルダ６３を金属で構成した場合であっても、通信機能の高いカメラを提供することができる。
【００２１】
ところで、アンテナ９のグランドは、使用する電波の波長がλ／４以上である場合に、安定した特性が得られることが知られている。しかし、デジタルカメラのような小型通信機能付き装置の場合、λ／４以上のグランドを確保することが難しい。そこで、上述したようにＬＣＤホルダ６３をアンテナ９のグランドとして使用することにより、アンテナ９のグランドが大きくなり安定した特性を得ることができる。
【００２２】
また、人体には無線信号を吸収する性質があるため、手が触れない部分にアンテナ９を配置するのが好ましい。この点、本実施例のデジタルカメラでは、アンテナ９を撮影画像などが表示されるＬＣＤ６の裏側の領域に配置しており、このＬＣＤ６は手によって覆われることが少ない部分であるため、人体による無線信号の吸収をも防ぐことができる。
【００２３】
次に、図５を用いて本実施例のデジタルカメラの全体構成について説明する。ここで、図５はデジタルカメラの機能ブロック図である。同図に示すように、デジタルカメラ１には、撮像部２０、撮像信号処理部３０、制御部４０、操作部５０、表示部６０、無線通信部７０が設けられている。
【００２４】
撮像部２０には、フォーカスレンズやズームレンズを含む撮影レンズ２１、撮像素子（例えば、ＣＣＤセンサ、ＣＭＯＳセンサ）２２が設けられており、撮影レンズ２１を通過した被写体像が撮像素子２２の受光面上に結像し、結像した被写体の光量に応じて、電荷が蓄積される。撮像部２０はさらに、上述のファインダ３とストロボ４を有している。
【００２５】
撮像信号処理部３０では、撮像素子２２から出力されたアナログ信号を、Ｒ、Ｇ、Ｂ成分に色分解し、ホワイトバランスが調整される。さらに、撮像信号処理部３０では、ガンマ補正を行い、必要なタイミングでＲ、Ｇ、Ｂ信号を順じＡ／Ｄ変換し、得られたデジタル画像データを制御部４０に出力する。
【００２６】
制御部４０はＣＰＵ４１とメモリ制御部４２からなる。ＣＰＵ４１はデジタルカメラの動作制御を行うとともに、ストロボ発光の制御や絞りの調整、外部装置との通信の際、無線によって通信するか、有線によって通信するかの選択も行う。メモリ制御部４２は不図示の不揮発性メモリとメインメモリを制御する。不揮発性メモリには、ユーザによる設定情報や出荷時の調整値等、デジタルカメラの電源がＯＦＦの間も保持すべきデータが格納されている。
【００２７】
メインメモリには、撮像信号処理部３０から出力された画像データを格納するフレームメモリとしての機能、各種プログラムをロードするシステムメモリとしての機能、その他ワークエリアとしての機能を有している。
【００２８】
操作部５０は、ユーザによるスイッチ操作を検出して制御部４０に制御信号を出力する。パワースイッチ５１は、デジタルカメラの電源のＯＮ／ＯＦＦ状態を切り替える。ズームボタン５２はズームレンズの倍率を設定する。操作部５０には、これらのスイッチの他、回転モードダイヤルや十字キー等によって構成される機能設定ボタン７が設けられている。機能設定ボタン７を操作することにより、ファイルフォーマット、特殊機能、決定／保存、表示切り替え、無線通信モードなどを設定することができる。
【００２９】
表示部６０は、ＬＣＤ６とこのＬＣＤ６を駆動制御するＬＣＤ駆動回路６１とを備えており、ＬＣＤ駆動回路６１が駆動されることにより、ＬＣＤ６の画面に画像データが表示されたり、無線通信などを行うためのメニュー情報が表示されたりする。
【００３０】
無線通信部７０はＢｌｕｅｔｏｏｔｈの規格に従って構成され、ベースバンド部７１、ＲＦ（Ｒａｄｉｏ  Ｓｐｅｃｉｆｉｃａｔｉｏｎ）部７２を備える。ベースバンド部７１はＤＳＰ（Ｄｉｇｉｔａｌ  Ｓｉｇｎａｌ  Ｐｒｏｃｅｓｓｅｒ）、マイクロコンピュータ、システムクロック等を備え、Ｂｌｕｅｔｏｏｔｈプロトコルのベースバンド層で規定された機能を実装しており、総置換の物理的なＲＦリンクを張る処理を行う。
【００３１】
ＲＦ部７２はＤ／Ａ変換部、変調器、復調器等を備え、ＢｌｕｅｔｏｏｔｈプロトコルのＲＦ層で規定された機能を実装しており、データの変復調処理を行う。このような処理をすることにより、アンテナ９を通じて外部装置とのデータのやり取りを行うことが可能になる。
【００３２】
（実施例２）
図６を用いて本発明の実施例であるデジタルカメラの構成について説明する。ここで、図６は、本実施例のデジタルカメラの外観斜視図であり、実施例１のデジタルカメラと同一の構成要素には、同一符号を付している。なお、実施例１と同一の構成要素については、詳細な説明を省略する。
【００３３】
同図において、８はデジタルカメラの外装を構成する外装部材であり、金属によって構成されている。この外装部材８のカメラ上面に相当する部分には、矩形状の開口部８ｂが形成されている。この開口部８ｂには、表示面が外側に露出したＬＣＤ１２が組み込まれており、このＬＣＤ１２の表示面には、撮影画像数、撮影モード、電池残量などが表示される。さらに、ＬＣＤ１２は、表示面に表示された画像を確認できるようにするために、表示面が露出した状態あるいは透明のプラスチック材料で覆われている。
【００３４】
使用するアンテナは、実施例１で使用したアンテナと同様の構成を有するアンテナ９であり、ＬＣＤ１２の裏側の領域に配置される（図７参照）。
【００３５】
このように、本実施例のデジタルカメラでは、金属を含まないＬＣＤ１２の裏側の領域にアンテナ９を配置している。これにより、放射素子部９ａを介して送受信される無線信号の金属による吸収を回避できるため、通信機能の高いカメラを提供することができ。さらに、ＬＣＤ１２は手によって覆われることが少ない部分であるため、人体による無線信号の吸収をも防ぐことができる。
【００３６】
さらに、デジタルカメラの上面にアンテナ９を配置することにより、デジタルカメラから放射される電波をカメラの前面、後面に均等に振り分けることができるため、デジタルカメラの姿勢、向きに依存せずに安定した通信を行うことができる。
【００３７】
(他の実施例)
上記の実施例では、デジタルカメラの外装部材を金属によって構成したが、非金属筐体に金属メッキや金属塗装を施した外装部材、または、それらを一部分に使用した外装部材を用いてもよい。
【００３８】
また、フィルムアンテナとして、例えば、ＦＰＣ技術を用い、片面又は両面銅張積層板にエッチングによりアンテナ回路を形成したもの、又は、図８に示す、ポリミド膜が両面に張り付けられた金属平板１０１の端部にスリット状の放射素子部１０２を形成し、この放射素子部１０２に給電用の細径同軸ケーブル１０３を接続したものを用いてもよい。さらに、フィルムアンテナにかえて、チップアンテナのような他のアンテナを使用してもよいし、アンテナの数を複数としてもよい。
【００３９】
また、表示ユニットとしてＬＣＤを用いたが、例えば、有機ＥＬディスプレイを用いてもよく、無線ＬＡＮのようなＢｌｕｅｔｏｏｔｈ以外の無線通信方式においても適用可能である。
【００４０】
また、ＬＣＤ６及びＬＣＤ１２の両方の裏側領域にアンテナを配置してもよい。また、該裏側領域に複数のアンテナを配置して、感度が良好なアンテナを選択的に用いるようにしてもよい。
【００４１】
さらに、本願発明は、カメラ以外の他の通信機能付き装置にも適用することができる。たとえば、図９に示すように、ディスプレイパネル８１のパネル面とディスプレイパネル８１を覆う外装部材８２との間にアンテナ８３を配置したノート型パーソナルコンピュータに適用することができる。更に、図１０に示す、不図示の操作ボタンが設けられた操作部９１とこの操作部９１に対して回動可能に取り付けられた表示部９２とを有し、表示画面９３と表示部９１の外装部材９４との間に、アンテナ９５を配置した携帯型電話にも、適用することができる。
【００４２】
上述の実施例によれば、アンテナを外装部材の内側に配置しているため、デザイン性を損なわずに、通信機能を備えたデジタルカメラを提供することができる。
【００４３】
また、外装部材に特別な処理を施す必要がないため、組み立て性や製造コストの面において、アンテナ搭載による影響が少なくなり、金属性の外装部材に非金属材料を使用することによる不要輻射の増加も防ぐことができる。
【図面の簡単な説明】
【００４４】
【図１】デジタルカメラの前面及び背面斜視図
【図２】アンテナ（フィルムアンテナ）の斜視図
【図３】アンテナが組み込まれたデジタルカメラの背面斜視図
【図４】ＬＣＤホルダ及びアンテナの斜視図
【図５】デジタルカメラの機能ブロック図
【図６】デジタルカメラの前面斜視図
【図７】デジタルカメラの前面斜視図
【図８】フィルムアンテナの変形例を示した斜視図
【図９】パーソナルコンピュータの斜視図
【図１０】携帯電話の斜視図
【符号の説明】
【００４５】
１  デジタルカメラ
２  レリーズボタン
３  光学ファインダ
４  発光ユニット
５  レンズ鏡筒
６  ＬＣＤ
７  機能設定ボタン
８  外装部材
９  アンテナ
１１  デジタルカメラ
１２  ＬＣＤ
２０  撮像部
２１  撮影レンズ
２２  撮像素子
３０  撮像信号処理部
４０  制御部
４１  ＣＰＵ
４２  メモリ制御部
５０  操作部
５１  パワーボタン
５２  ズームボタン
６０  表示部
６１  ＬＣＤ駆動回路
７０  無線通信部
７１  ベースバンド部
７２  ＲＦ部
【図１】
2006121494.tif 000003
【図２】
2006121494.tif 000004
【図３】
2006121494.tif 000005
【図４】
2006121494.tif 000006
【図５】
2006121494.tif 000007
【図６】
2006121494.tif 000008
【図７】
2006121494.tif 000009
【図８】
2006121494.tif 000010
【図９】
2006121494.tif 000011
【図１０】
2006121494.tif 000012